(57)【要約】      （修正有）【課題】性器や性感帯への刺激を増大させることができる下半身衣類を提供する。【解決手段】下半身衣類は、弾力性のある球状体のホルダー部２−Ｚを有する。ホルダー部２−Ｚは、性器や性感帯に刺激を加えることができる器具を保持する。器具は、ゴム系素材で製造され、外部表面は平滑処理がされ、内部に気体又は液体が密閉され、弾力性があり、気体又は液体挿入排出口が１つ以上設置される。【選択図】図２
0003227949.tif 000002
【実用新案登録請求の範囲】
【請求項１】
弾力性のある球状体のホルダー部を有する下半身衣類であって、
該ホルダー部は、人の性器や性感帯に接触、押圧、振動、摩擦し、刺激を加えることができる器具を保持するホルダー部であって、
該器具は、ゴム系素材で製造され、外部表面は平滑処理がされ、内部に気体又は液体が密閉され、弾力性があり、
かつ密閉式気体又は液体挿入排出口が１つ以上設置された器具を保持するホルダー部が設置されたことを特徴とする下半身衣類。
【請求項２】
下半身衣類の胴回挿入部周囲に把持部が設置され、該胴回挿入部下部の前部に解放部が設置された請求項１の下半身衣類。
【考案の詳細な説明】
【技術分野】
【０００１】  性感覚を刺激し、爆発的運動エネルギーが活用できる下半身衣類に関する。
【背景技術】
【０００２】  本願考案は、性感覚を刺激し、爆発的運動エネルギーが活用できる器具に関する考案である。
本願考案の器具は、第一に、モノの製造に関する考案であるが、当該器具の活用による新たな筋力強化及び体力強化方法を提起することを含むものでもあり、大胆に言えば、実願１−２とともに、人類社会に新たな文化、及び価値観を提起する考案でもあることが大きな特徴である。
新型コロナウイルスとの闘いの最中に得られ直感に基づく推論もあり、必ずしも、科学的に証明されたものとは、言えない。
しかし、それは、科学万能の時代に、直感力思考に光を当てるものでも、あると思う。
なお、筋力の強化や体力強化運動の中には、「四つん這い運動」や「腕立て伏せ運動」がある。そして、仰向けに寝た姿勢から四つん這い姿勢になるためには、身体を回転させなければならず、左右どちらかの腕を下にして身体を回さななければならなない。そして、この時一時的に他方の手で上半身を持ち上げて上半身を支えなければならない。
しかし高齢者になると、腕の力が弱くなり、他方の手で上半身を十分持ち上げることができなくなり、この回転が上手く行かなくなる。
高齢者になると、ふかふかな寝具を利用する方が多くなり、このような話を良く聞くようになる。このような方々や、転倒して骨折事故を防ぐためには、「脚力の強化」と同時に「肩関節の強化」も必要となる。
「肩関節の強化」を図ることによって、「体幹」の強化や「呼吸筋」の強化も可能となる。特に、筋委縮が進行すると言われるパーキンソン病やアルツファイマー病、及び高齢者一般の方々にとって「肩関節」強化は重要な課題であると思慮される。【０００３】［現状のデ―サービス等の問題点］
一般的に、高齢化社会の進展にともなって、高齢者やリハビリ経験者を中心に筋トレやストレッチなどの体力強化に対するニーズが高まる。
ところで、高齢者の身体強を考える上で、デ―サービスの存在を無視することはできない。そこで、本考案の背景技術として、最初に、現状におけるデ―サービスの実態について考えて見ることとする。
なお、高齢者やリハビリ経験者がかかることが多いと言われている病気に「パーキンソン病」と言われる病気がある。この病気は、加齢とともに、関節周りの筋肉拘縮や筋肉萎縮が進むとも言われ、現在のところその原因は必ずしも明らかではない。
しかしながら、高齢者のパーキンソン病にとって、リハビリ等も決め手となる効果が期待できる有効な対策とはなっていないが、リハビリ等の対策の必要性が指摘されていることはご案内の通りである。
しかしながら、現状のデ―サービス現場においては、利用者の病気や症状に応じたリハビリ対策やアドバイスが発信できる体制が構築されていない。つまり、現状のデーサービス事業においては、パーキンソン病のみならず、アルツファイマー病や認知症、その他の病状に応じて対応できる「制度設計」が構築されていないのである。
このような実態は、いわゆる先進医療とも難病とも言われているパーキンソン病やアルツファイマー病に限って見られる現象ではない。加齢とともに、昔から生じている歩行困難、高血圧、老眼、夜尿症などの症状や病状について、対応できる体制が前提になっていない。今、高齢化社会が進展し、要介護人口が増加する中で、介護保健法という法律が制定されてはいるが、この法律に基づく介護事業は、食事介護や入浴介護が中心であり、高齢者に特有な病状や症状に対応するための助言やルハビリ対応をすることが前提になった施設設計、制度設計となっていないのである。
我が国においては、世界に先駆けて超高齢化社会となっているにもかかわらず、どうして、このような現実が生じてしまたったのか、そして今後、どうすれば良いか真剣に考えなければならないものと思慮されるのです。
そこで、現実に社会保険事業のご厄介になり、現実にデ―サービス事業のお世話になっているものとして、この問題の解決の前提として、申しあげたいことがある。
それは、高齢化社会は、人類は始まって以来の宿命的課題でもあり、世界的に避けて通れない課題でもあり、将来を見通した本質的解決策を講じなければならない、と思う。
すると人類が、歩んできた歴史を振り返り、本質的解決策を講じなければならない。すると、介護事業は、高齢化社会を目前にして、医療事業の延長線上に生まれてきた比較的新しい事業であることを忘すれてはならなない。すると、介護事業に、高齢者特有の症状別対応を求めると、「デ―サビス事業は医師の監督下に、介護事業は医療事業の監視下に置けば良いという解決策」が出てきそうな答えである。
この解決策は、これまで医療事業そのものが抱えてきた問題点が、全く放置されることに直結する道にはまりこまないだろうか。
そもそも、いま介護事牛が抱えている問題点は、実は、これまでの医療事業が抱えてきた問題点でもあるのではないだろうか。つまり、医療現場においては、昔から医師万能論的風潮が強く、例えば、体育的・運動論的対応であっても、天の声、つまり、医師の独占的判断が優先され、人類全体の知恵が生かされてこなかかったのではないだろうか。
しかしながら、今や、高学歴社会となり、医学や栄養学なのど医療関係エビデンスは、一昔前では考えられないほど普及してきました。
介護事業の問題点は、医療事業が、かかえてきた問題点ではないのだろうか。
つまり、介護事業の制度設計の不備は、医療事業の下請けになることによって解決を図る道は、一種の先祖返りであり、医療事業がこれまでかかえてきたの問題点の解決を遅らせることになるのではないだろうか。
ここは、介護事業も医療事業も、双方が発展できる方策を考えるべきではないだろうか。
つまり、医療現場が昔からかかえてきた医師万能論の価値観の転換を図らない限り、解決ができないのではないだろうか。
そもそも、介護事業は、医療事業の延長線状に生まれてきた歴史があり、見直されさなければならばならない点は、「万能論への反省」「一種の囲い込み」「独占体制の打破」であり、対極にあるのは「衆知の結集」「参加の拡大」ではないでしょうか。
現代社会は、一昔前と違って高学歴社会と言われています。この高学歴社会では、力学や物理学の知識は言うに及ばず、医学知識や栄養学などの科学的知識も普及し、医療関係エビデンスは、一昔前とは比べ様もない程、普及してきました。
一方、現代社会は、電子化時代とも言われ、大量な情報処理も瞬時に行うことが可能です。問題は、この情報処理を、管理統制力が働く方向に使うか、民主主義を発展させる方向に使いうかです。
岐路は、時代がどんなに変わっても、昔の体制の見直しもせず、やみくもに守ろうとする人類の浅ましい弱点が、高齢化社会の到来とともに、警鐘をならしているのではないでしょうか。
現状の介護現場や医療現場においては、本人がどんなに科学的エビデンスに基づいて「病状別研究」を行い「症例別対応」を行っても、その結果が適切に評価される仕組みはありません。素人が、ど素人、それぞれの感性をいかしながらの挑戦を、科学評的に選択・評価できる新しいシステム構築こそが今こそ求められているのではないでしょうか。
現実の医療行政を前提に評価システムを作る場合には、医師万能論に陥り易く、なんとも前近代的な仕組みになると言わざるを得ません。人類文化の進歩・発展のためには大変モッタイナイことではないでしょうか。
介護現場や医療現場には、様々な問題点が考えられます。しかし、この中で大きな問題点は、介護事業にも医療事業にも「症例別研究」や「症例別対応」に取り組む意識も、意欲も育っていないという現実です。また、これらについての情報収集システムも構築されていないと言う現実です。
もう一点、学問の発展や人材育成もも考える必要があるでしょう。
例えば、介護士等の資格制度において、リハビリ技術や体育技術の発展に応じた専門コースが設置されていないなど、時代の流れに取り残こされ形骸化した運用が図られている現実にも問題があるのではないでしょうか。
いずれにしても、現状においては」、ほとんどの介護現場においては、自宅でやる補助訓練、筋トレやストレッチについて指導するところはほとんどありません。この現実は、やらないのではなく、やるだけの能力がないやため言えるのです。しかし、このような実態を放置して、高齢化社会、リハビリ社会の未来は開けないのではないでしょうか。
この現状を打開するためには、学問の未分化・未発達にカツを入れることが必要ではないでしょうか。例えば、現在、「物理療法学会」や「高齢者健康学会」のようなものが見当たりません。もし仮に、「物理療法学会」や「高齢者健康学会」のようなものに光が当たれば、「筋トレ・ストレッチ」、「マッツサージ・按摩・指圧」、「針・灸」の分野にも光が当たり、西欧科学と東洋医学の融合が進み、スポーツや体育科系統の学問の発展、新しい大学設立の機運も高まるのではないでしょうか。そうなれば、医学や介護学の新たな発展も期待できるものと考えられるのです。
本願考案の枕セットは、患者や経験者が自ら自分の病気や症状を直す機会に挑戦し、また曲がりなりにもその結果について発言する道があることの問題提起できることにも連なり、人類文化の進歩発展に新たな息吹をもたらすことが期待できると思慮されます。
【先行技術文献】
【０００４】
【特許文献１】実登第３０２３５１３号公報
【考案の概要】
【考案が解決しようとする課題】
【０００５】  超高齢化社会に入り、筋トレやストレッチなど体力強化に対するトレニーズが高まっています。一方、介護保険事業の定着を背景に、デーサービス事業の利用者も増大しています。しかあしながら、既に述べたように現状のデーサービス事業には、限界や不十分さあるため、自宅におけるリハビリ補助などの補助的トレーニングニーズも高まってきています。
しかしながら、現状においては、高齢者やリハビリ経験者のトレーニングニーズに応える手ごろな商品はありません。
そこで、本考案では、高齢者やリハビリ経験者が、寝ながら簡単に体力強化を図ることができる枕セットを考案し、提供することとした。
そして、本願考案の第一の課題として、人体の四肢の結節部分である「肩関節」や「股関節」及び「背骨」回りの「体幹」の強化、つまり体力強化を図ることができる枕セットを提供することを第一の課題とした。
また、高齢者やリハビリ経験者等が寝ながら「身体の強化」を図る場合には、通常受ける体重の影響を軽減し、人の皮膚感覚にマッチさせ、気持ち良く運動できることが重要であり、このことを実現できる枕セットを提供することを第二の課題とした。
さらに、枕セットの利用者自らが自らの意思で工夫して使用できることによって、過去の自らの経験を思い出し、また新たな学習意欲が向上することも期待できる。よって、このような役割が期待できる枕セットを提供することを第三の課題とした。
【課題を解決するための手段】
【０００６】  本願考案では、第一の課題を解決するため、寝ながら、人体の四肢の結節部分である「肩関節」や「股関節」及び「背骨」回りの「体幹」の強化を図るため、その中止的役割担う肩関節の強化を図る枕セットとして、左右の上腕当支持枕を中心にすることとした。
そして、当該枕セットに頭部当枕を加えた枕セットを提供することにより、起床及び寝返り等を楽に実現させることとした。
さらに、それらの枕セットに臀部当て支持枕を加えた枕セットを提供することにより、背骨や体幹又は跨関節の強化、及び下半身の強化を楽に実現することができる枕セットも提供することとした。
そしてこの３種類の枕セットを提供することにより、身体強化を図ることが実現できる解決手段を講ずることとした。
さらに、第二の課題を解決するため、当該枕の製造において、弾力性のあるゴム系原材料を使用して製造し、枕のそれぞれの表面を平滑処理し、それぞれの枕の内部に空気を密封し、二重の反発弾力性が活用できる解決手段を講じ、人の皮膚感覚にマッチさせ、重力の影響の軽減化を図り、気持ち良く枕セットが利用できるような解決手段を講じた。
さらに、第三の課題を解決するため、それぞれの枕の外形を単純化して取り扱いをしやす形状とすると同時に、明細書等に使用方法等について詳細に記述し、使用者自らが使用方法の工夫ができる情報提供を図る解決手段を講ずることとした。
【考案の効果】
【０００７】  本願考案の抱き枕セットは、肩関強化を図ることができ、同時に「体幹」「跨関節」「足腰」の強化を図ることができる。肩関節の強化は、関節まわりの筋委縮の進行が指摘されているパーキンソンソン病や筋委縮の進行が指摘されているアルツファイマー病や高齢者一般にとって有益な運動となることが思慮される。また、寝返り運動による「体幹」の強化は、横腹の強化に結び付くものであり、高齢者の体力強化、便秘解消にも役立つものと思慮されるのです。
特に、背骨回り、股関節の強化は、体幹の強化の要であり、直立二足歩行や転倒転落防止のためにも重要である。
また、複部のネジり運動による「体幹」の強化は、通常、困難な横腹の強化運度もできるものと思慮される。
また、「股関節の強化」や「足腰」の筋力の強化は、直立二足歩行と転倒転落防止のために重要な体力強化必要箇所である。特に、下半身の足腰や脚力の強化は、直立二足歩行、及び転倒・転落防止のため、最も重要な強化しなければならない箇所でもあり、本願考案は、この要請に的確に応えることができる。
また、解決手段２に示した人の皮膚感覚にマッチし、弱い力で実施できることにより、気持ち良く利用できるようになり、また解決手段３に示した、多様な利用が図れる簡素な形状としたことによって、使用者自らが使用方法の工夫をし、考えることができ、また情報提供を図ることとすること等によって、それに触発され、自分の経験則を思い出したり、新たな学習意欲が増大する効果も期待でき、納得できる点が多くなれば、更に、体力強化や、皮膚感覚や、重力が体重に及ぼす影響に関する学習意欲向上効果も期待できるものと思慮される。
【産業上の利用可能性】
【０００８】  本願考案は、高齢化社会やリハビリ社会の伸展のなかで、寝ながら肩関強化を図ることができ、同時に「体幹」「跨関節」「足腰」の強化を図ることができ、かつ肩関節の強化は、関節まわりの筋委縮の進行が指摘されているパーキンソンソン病や筋委縮の進行が指摘されているアルツファイマー病や高齢者一般にとって有益な運動となることが思慮され、産業上の利用可能性は、介護現場、医療現場、一般家庭を含めた広範な利用が期待できるものと考えられる。
また、本願考案の枕セットは、使用者本人が自分の体力の維持増進、体幹強化の必要性や重要性に気付くものであり、ベットなど各種寝具に具備されれば、手すりなどの付属器具を利用した強化運動も可能であり、利用可能性はさらに高まるものと考えられるのです
【図面の簡単な説明】
【０００９】
【図１】は、請求項１に基づいて作成された弾力性のある球状体の器具が、ブリーフ型下半身衣類のホルダー部に挿入された１例を示した概略図である。［図Ａ］は、［図１］の前部から見た概略図の１例図である。［図Ｂ］は、［図１］の後部から見た概略図の１例図である。
【図２】は、請求項２に基づいて作成された「把持部」と「解放部」設置されたブリーフ型下半身衣類の１例を示した概略図である。［図Ａ］は、［図２］の前部から見た概略図の１例図である。［図Ｂ］は、［図２］の後部から見た概略図の１例図である。
【考案を実施するための形態】
【００１０】  本願考案において、「筋トレ」とは、筋肉トレーニングのことをいい、主として筋肉を強化する目的で行う運度をいうものとする。また、「ストレッチ」とは、主として筋肉に柔軟性を与える目的で実施するストレッチをいうものとする。また、「リハビリ補助運動」とは、広義の意味では、リハビリを補助するために行う「筋トレ」や「ストレッチ」を含むものとし、狭義の意味では、文字通りリハビリを補助するために行う補助運動、又は自宅でやるリハビリ補助運動の意味で使用するものとする。
【００１１】  なお、請求項１にいう「反撥弾力性」とは、材料内部に密封された気体又は液体によるの反撥弾力性を言うものとする。
また、請求項１に言う「密閉型」とは、通常の使用において、密封された気体又は液体が当該「挿入排出口」及びその付近から漏れないことをいうものとする。なお、この「密閉敷気体又は液体挿入排出口」は、「ポンプ式」及び「人の口による空気挿入が可能」な「密閉型空気挿入排出口」がそれぞれがひとつ以上設置されることが望ましい。
【００１２】  本願考案の下半身衣類は、挿入された反撥弾力性のある略球状体が性器乃至性感帯を刺激することによって快感が得られるものである。
従がって、当該下半身衣類は、当該刺激を増大させることができる特徴を持っている。
なお、請求項２の「把持部」には、全体をｚ庁部することや胴回り層んっ有部の周囲を二重にすることもふくむものとする。また、請求項２の把持部及び解放部の設置は、設計事項とする。
【実施例１】
【００１３】  実施例１は、球状体を大腿骨又は両足脚の間に挟む方法をいうものとする。
この方法では、球状体を挟む位置によって、快感が異なる。また、うつぶせに寝て挟むか、仰向けに寝て挟むかなど姿勢によっても、快感が異なる。好みの姿勢や位置を選べば良い。
【実施例２】  実施例２は、球状体を性器の下に敷き、性器を押圧して、快感を得る方法をいう。
この方法では、ひとりで実施する方法と、パートナ―と協力して実施する方法がある。パートナ―と協力して実施する場合は、球状体は、どぢらか一方の性器の下に敷き、相手は、その人の股の上に乗り、互いに正面を向いて抱っこする姿勢で接合する。
球状体を性器の下に敷く人は、椅子などに座って、敷いても良い。球状体を性器の下に敷く人の股の開きかげんに寄り、快感は持続する。最高の絶頂快感が得られると思う。
【符号の説明】
【００１４】  ［図１］は、請求項１に基づいて作成された弾力性のある球状体の器具が、ブリーフ型下半身衣類のホルダー部に挿入された１例を示した概略図である。
［図Ａ］は、［図１］の前部から見た概略図の１例図である。
［図Ｂ］は、［図１］の後部から見た概略図の１例図である。
１−Ｘは、請求項１に基づいて作成された弾力性のある球状体の器具
１−１は、胴体挿入部
１−２は、右足挿入部
１−３は、左足挿入部
１−Ｚは、ブリーフ型下半身衣類のホルダー部
［図２］は、請求項２に基づいて作成された「把持部」と「解放部」が設置されたブリーフ型下半身衣類の１例を示した概略図である。
［図Ａ］は、［図２］の前部から見た概略図の１例図である。
［図Ｂ］は、［図２］の後部から見た概略図の１例図である。
２−Ｙは、請求項２に基づいて作成されたブリーフ型下半身衣類の解              放部の１例
２−１は、請求項２に基づいて把持部が設置された胴体挿入部の１例
２−２は、右足挿入部
２−３は、左足挿入部
２−Ｚは、ブリーフ型下半身衣類のホルダー部
【図１】
0003227949.tif 000003
【図２】
0003227949.tif 000004